(57)【要約】【課題】ダイナミックダンパ装置を有するロックアップ装置において、部品点数を少なくし、かつ軸方向スペースを抑える。【解決手段】この装置は、ピストン３０と、ドリブンプレート３６と、ダンパ機構と、ダイナミックダンパ装置３７と、を備えている。ドリブンプレート３６はタービンに連結される。ダンパ機構は、内周側トーションスプリング３５と第１及び第２プレート４１，４２とを有し、回転速度変動を減衰する。第２プレート４２は、内周側トーションスプリング３５を保持するとともに、外周部の一部にダンパプレート部４５を有する。ダイナミックダンパ装置３７は、ダンパプレート部４５と相対回転自在に配置されたイナーシャリング４６と、ダンパプレート部４５とイナーシャリング４６とを回転方向に弾性的に連結するスプリングユニット４８と、を有し、回転速度変動を減衰する。【選択図】図３
2015094424.tif 000002
【特許請求の範囲】
【請求項１】
エンジン側の部材に連結されるフロントカバーとトルクコンバータ本体との間に配置され、前記フロントカバーからのトルクを前記トルクコンバータ本体のタービンに直接伝達するためのロックアップ装置であって、
前記フロントカバーからのトルクを出力側に伝達するクラッチ部と、
前記クラッチ部と相対回転自在であり、前記タービンに連結された出力回転部材と、
複数の第１弾性部材と、前記クラッチ部及び前記出力回転部材のうちの少なくとも前記クラッチ部と相対回転自在に設けられ前記第１弾性部材を保持するとともに外周部の一部にダンパプレート部を有する保持プレートと、を有し、前記クラッチ部と前記出力回転部材との間に配置されて回転速度変動を減衰するダンパ機構と、
前記ダンパプレート部と相対回転自在に配置されたイナーシャ部材と、前記ダンパプレート部と前記イナーシャ部材とを回転方向に弾性的に連結する複数の第２弾性部材と、を有し、回転速度変動を減衰するダイナミックダンパ装置と、
を備えたトルクコンバータのロックアップ装置。
【請求項２】
前記ダンパ機構の保持プレートは、前記出力回転部材を挟んで軸方向に対向する１対のプレート部材を有し、
前記ダンパ機構は、前記１対のプレート部材を互いに固定する複数の固定部材をさらに有し、
前記保持プレートのダンパプレート部は、前記複数の固定部材が設けられた位置とは円周方向において異なる位置に設けられている、
請求項１に記載のトルクコンバータのロックアップ装置。
【請求項３】
前記保持プレートは、前記ダイナミックダンパ装置のイナーシャ部材を径方向に位置決めするためのインロー部を外周部に有している、請求項１又は２に記載のトルクコンバータのロックアップ装置。
【請求項４】
前記保持プレートは、
前記ダンパプレート部の内周部において前記ダンパプレート部とは軸方向において異なる位置に設けられた円板状の本体部と、
軸方向に延び、前記ダンパプレート部と前記本体部とを連結する筒状部と、
をさらに有し、
前記インロー部は、前記イナーシャ部材の内周端面が当接する外周面を有する前記筒状部である、
請求項３に記載のトルクコンバータのロックアップ装置。
【請求項５】
前記インロー部は、前記保持プレートに形成され、前記イナーシャ部材の内周端面が当接する突起部である、請求項３に記載のトルクコンバータのロックアップ装置。
【請求項６】
前記保持プレートは、前記ダンパプレート部の内周部において前記ダンパプレート部とは軸方向において異なる位置に設けられた円板状の本体部をさらに有し、
前記インロー部は、前記イナーシャ部材の内周端面が当接する前記本体部の外周面である、
請求項３に記載のトルクコンバータのロックアップ装置。
【請求項７】
前記クラッチ部と前記保持プレートとを回転方向に弾性的に連結する前段側ダンパ機構をさらに備えた、請求項１から６のいずれかに記載のトルクコンバータのロックアップ装置。
【発明の詳細な説明】
【技術分野】
【０００１】
本発明は、ロックアップ装置、特に、エンジン側の部材に連結されるフロントカバーとトルクコンバータ本体との間に配置され、フロントカバーからのトルクをトルクコンバータ本体のタービンに直接伝達するためのロックアップ装置に関する。
【背景技術】
【０００２】
トルクコンバータにおいては、燃費低減のためにロックアップ装置が設けられている。ロックアップ装置は、フロントカバーとタービンとの間に配置されており、フロントカバーとタービンとを機械的に連結して両者の間でトルクを直接伝達するものである。
【０００３】
ロックアップ装置は、一般に、ピストンとダンパ機構とを有している。ピストンは、摩擦部材を有しており、油圧の作用によってフロントカバーに押し付けられ、フロントカバーからトルクが伝達される。また、ダンパ機構は複数のトーションスプリングを有しており、この複数のトーションスプリングによって、ピストンとタービンに連結された出力側の部材とが弾性的に連結されている。このようなロックアップ装置では、ピストンに伝達されたトルクは、複数のトーションスプリングを介して出力側の部材に伝達され、さらにタービンに伝達される。
【０００４】
また、特許文献１には、出力側の部材にイナーシャ部材を装着することにより、エンジンの回転速度変動を抑えるようにしたロックアップ装置が示されている。この特許文献１に示されたロックアップ装置は、タービンに固定された出力部材にイナーシャ部材が装着されている。出力部材とイナーシャ部材とは相対回転自在であり、出力部材とイナーシャ部材との間にはコイルスプリングが設けられている。
【０００５】
特許文献１のロックアップ装置では、出力部材にコイルスプリングを介してイナーシャ部材が連結されているため、イナーシャ部材及びコイルスプリングがダイナミックダンパとして機能し、これらによって出力側の部材（タービン）の回転速度変動が減衰される。
【先行技術文献】
【特許文献】
【０００６】
【特許文献１】特開２００９−２９３６７１号公報
【発明の概要】
【発明が解決しようとする課題】
【０００７】
特許文献１のロックアップ装置では、出力部材が第１出力プレートと第２出力プレートとによって構成されている。そして、この第１及び第２出力プレートの間にイナーシャ部材を構成する環状のプレート部材が配置され、環状のプレート部材の外周部にイナーシャ部材本体が固定されている。コイルスプリングは、第１及び第２出力プレートと環状のプレート部材とを回転方向に弾性的に連結している。
【０００８】
このような特許文献１の装置では、ピストンと出力部材（第１及び第２出力プレート）とを連結するダンパ機構とは別にダイナミックダンパ装置が設けられている。このため、特に、ダンパ機構を外周部及び内周部に設けると、２つのダンパ機構とダイナミックダンパ装置とをフロントカバーとトルクコンバータ本体との間に配置する必要があり、装置全体が大型化する。
【０００９】
本発明の課題は、ダイナミックダンパ装置を有するロックアップ装置において、部品点数を少なくでき、かつ特に軸方向スペースを抑えることにある。
【課題を解決するための手段】
【００１０】
本発明の一側面に係るトルクコンバータのロックアップ装置は、エンジン側の部材に連結されるフロントカバーとトルクコンバータ本体との間に配置され、フロントカバーからのトルクをトルクコンバータ本体のタービンに直接伝達するための装置である。このロックアップ装置は、クラッチ部と、出力回転部材と、ダンパ機構と、ダイナミックダンパ装置と、を備えている。クラッチ部はフロントカバーからのトルクを出力側に伝達する。出力回転部材は、クラッチ部と相対回転自在であり、タービンに連結される。ダンパ機構は、複数の第１弾性部材と保持プレートとを有し、クラッチ部と出力回転部材との間に配置されて回転速度変動を減衰する。保持プレートは、クラッチ部及び出力回転部材のうちの少なくともクラッチ部と相対回転自在に設けられ、第１弾性部材を保持するとともに外周部の一部にダンパプレート部を有する。ダイナミックダンパ装置は、ダンパプレート部と相対回転自在に配置されたイナーシャ部材と、ダンパプレート部とイナーシャ部材とを回転方向に弾性的に連結する複数の第２弾性部材と、を有し、回転速度変動を減衰する。
【００１１】
この装置では、クラッチ部がオン（動力伝達状態）の場合は、フロントカバーからの動力はクラッチ部から出力回転部材を介してタービンに伝達される。このとき、ダイナミックダンパ装置によって回転速度変動を抑えることができる。
【００１２】
ここでは、ダンパ機構を構成する保持プレートに形成されたダンパプレート部を、ダイナミックダンパ装置の構成としている。このため、装置全体の部品点数を少なくできる。また、２つのダンパ機構を設けた場合でも、装置全体が大型化して軸方向スペースが拡大するのを抑えることができる。
【００１３】
本発明の別の側面に係るトルクコンバータのロックアップ装置では、ダンパ機構の保持プレートは、出力回転部材を挟んで軸方向に対向する１対のプレート部材を有している。また、ダンパ機構は、１対のプレート部材を互いに固定する複数の固定部材をさらに有している。そして、保持プレートのダンパプレート部は、複数の固定部材が設けられた位置とは円周方向において異なる位置に設けられている。
【００１４】
この装置では、保持プレートを構成する１対のプレート部材を相互に固定するリベット等の固定部材が、ダンパプレート部とは円周方向にずれた位置に設けられている。このため、径方向寸法を抑えることができる。
【００１５】
本発明の別の側面に係るトルクコンバータのロックアップ装置では、保持プレートは、ダイナミックダンパ装置のイナーシャ部材を径方向に位置決めするためのインロー部を外周部に有している。
【００１６】
ここでは、保持プレートの一部によってイナーシャ部材、すなわちダイナミックダンパ装置の径方向の位置決めをすることができる。
【００１７】
本発明の別の側面に係るトルクコンバータのロックアップ装置では、保持プレートは、円板状の本体部と筒状部とを有している。本体部はダンパプレート部の内周部においてダンパプレート部とは軸方向において異なる位置に設けられている。筒状部は、軸方向に延び、ダンパプレート部と本体部とを連結する。そして、インロー部は、イナーシャ部材の内周端面が当接する外周面を有する筒状部である。
【００１８】
本発明の別の側面に係るトルクコンバータのロックアップ装置では、インロー部は、保持プレートに形成され、イナーシャ部材の内周端面が当接する突起部である。
【００１９】
本発明の別の側面に係るトルクコンバータのロックアップ装置では、保持プレートは、ダンパプレート部の内周部においてダンパプレート部とは軸方向において異なる位置に設けられた円板状の本体部をさらに有している。そして、インロー部は、イナーシャ部材の内周端面が当接する本体部の外周面である。
【００２０】
本発明の別の側面に係るトルクコンバータのロックアップ装置では、クラッチ部と保持プレートとを回転方向に弾性的に連結する前段側ダンパ機構をさらに備えている。
【発明の効果】
【００２１】
以上のような本発明では、ダイナミックダンパ装置を有するロックアップ装置において、部品点数を少なくでき、かつ特に軸方向スペースを抑えることができる。
【図面の簡単な説明】
【００２２】
【図１】本発明の一実施形態によるロックアップ装置を備えたトルクコンバータの断面構成図。
【図２】図２のロックアップ装置を抽出して示す図。
【図３】図２の中間部材及びダイナミックダンパ装置を抽出して示す図。
【図４】ダイナミックダンパ装置の正面部分図。
【図５】ダイナミックダンパ装置のイナーシャリングの正面部分図。
【図６】ダイナミックダンパ装置のストップピンを示す図。
【図７】エンジン回転数と回転速度変動の特性図。
【図８】インロー部の他の実施形態を示す図。
【図９】インロー部のさらに他の実施形態を示す図。
【図１０】インロー部のさらに他の実施形態を示す図。
【発明を実施するための形態】
【００２３】
図１は、本発明の一実施形態によるロックアップ装置を有するトルクコンバータ１の断面部分図である。図１の左側にはエンジン（図示せず）が配置され、図の右側にトランスミッション（図示せず）が配置されている。なお、図１に示すＯ−Ｏがトルクコンバータ及びロックアップ装置の回転軸線である。
【００２４】
［トルクコンバータ１の全体構成］
トルクコンバータ１は、エンジン側のクランクシャフト（図示せず）からトランスミッションの入力シャフトにトルクを伝達するための装置であり、入力側の部材に固定されるフロントカバー２と、３種の羽根車（インペラ３、タービン４、ステータ５）からなるトルクコンバータ本体６と、ロックアップ装置７と、から構成されている。
【００２５】
フロントカバー２は、円板状の部材であり、その外周部にはトランスミッション側に突出する外周筒状部１０が形成されている。インペラ３は、フロントカバー２の外周筒状部１０に溶接により固定されたインペラシェル１２と、その内側に固定された複数のインペラブレード１３と、インペラシェル１２の内周側に設けられた筒状のインペラハブ１４とから構成されている。
【００２６】
タービン４は流体室内でインペラ３に対向して配置されている。タービン４は、タービンシェル１５と、タービンシェル１５に固定された複数のタービンブレード１６と、タービンシェル１５の内周側に固定されたタービンハブ１７と、から構成されている。タービンハブ１７は外周側に延びるフランジ１７ａを有しており、このフランジ１７ａにタービンシェル１５の内周部が複数のリベット１８によって固定されている。また、タービンハブ１７の内周部には、図示しないトランスミッションの入力シャフトがスプライン係合している。
【００２７】
ステータ５は、インペラ３とタービン４の内周部間に配置され、タービン４からインペラ３へと戻る作動油を整流するための機構である。ステータ５は主に、ステータキャリア２０と、その外周面に設けられた複数のステータブレード２１と、から構成されている。ステータキャリア２０は、ワンウエイクラッチ２２を介して図示しない固定シャフトに支持されている。なお、ステータキャリア２０の軸方向両側には、スラストベアリング２４，２５が設けられている。
【００２８】
［ロックアップ装置７］
図２に、図１のロックアップ装置７を抽出して示している。ロックアップ装置７は、フロントカバー２とタービン４との間の空間に配置されている。ロックアップ装置７は、ピストン３０と、ドライブプレート３１と、外周側トーションスプリング３２と、フロート部材３３と、中間部材（保持プレート）３４と、内周側トーションスプリング（第１弾性部材）３５と、ドリブンプレート（出力回転部材）３６と、ダイナミックダンパ装置３７と、を有している。
【００２９】
なお、ドライブプレート３１、外周側トーションスプリング３２、及びフロート部材３３によって前段側ダンパ機構が構成されている。また、中間部材３４及び内周側トーションスプリング３５によってダンパ機構が構成されている。
【００３０】
＜ピストン３０＞
ピストン３０は、環状に形成され、フロントカバー２のトランスミッション側に配置されている。ピストン３０の内周部には、トランスミッション側に延びる筒状部３０ａが形成されている。筒状部３０ａは、タービンハブ１７の外周面に軸方向移動自在及び相対回転自在に支持されている。また、ピストン３０の外周部において、フロントカバー２側の面には、環状の摩擦材３８が固定されている。この摩擦材３８がフロントカバー２に押し付けられることによって、フロントカバー２からピストン３０にトルクが伝達される。
【００３１】
なお、タービンハブ１７の外周面には、エンジン側の小径部１７ｂ及びトランスミッション側の大径部１７ｃからなる段付き部が形成されている。ピストン３０は小径部１７ｂに支持されており、大径部１７ｃの側面によってトランスミッション側への軸方向移動が規制されている。また、小径部１７ｂにはシール部材４０が装着されており、これによりピストン３０の内周面とタービンハブ１７との間がシールされている。
【００３２】
＜ドライブプレート３１＞
ドライブプレート３１は、ピストン３０の外周側において、トランスミッション側の側面に固定されている。具体的には、ドライブプレート３１は、環状に形成されており、内周部３１ａがピストン３０のトランスミッション側の面にリベット（図示せず）により固定されている。ドライブプレート３１の外周部には複数の係合部３１ｂが形成されている。係合部３１ｂは、外周端部がトランスミッション側に折り曲げられ、外周側トーションスプリング３２の円周方向の両端に係合している。
【００３３】
＜外周側トーションスプリング３２及びフロート部材３３＞
複数の外周側トーションスプリング３２は、例えば、１組２個で合計６個のスプリングからなり、各組の２個の外周側トーションスプリング３２が直列に作用するように、フロート部材３３が設けられている。
【００３４】
フロート部材３３は、断面Ｃ字状で環状の部材であり、ピストン３０の外周部とドライブプレート３１の外周部との軸方向間に配置されている。フロート部材３３は、ドライブプレート３１と相対回転可能に配置されており、外周部３３ａが外周側トーションスプリング３２の外周部を支持し、側部３３ｂが外周側トーションスプリング３２のエンジン側の側部を支持している。
【００３５】
また、フロート部材３３の軸方向トランスミッション側の先端部３３ｃは、内周側でかつエンジン側に折り曲げられており、この先端部の折り曲げ部３３ｃが１組の外周側トーションスプリング３２の間に挿入されている。すなわち、折り曲げ部３３ｃの円周方向の両端面が、対応する外周側トーションスプリング３２の端面に当接している。
【００３６】
フロート部材３３の内周端部３３ｄは、ドライブプレート３１のピストン側の側面に当接可能である。また、フロート部材３３の内周端面は、ドライブプレート３１の一部に形成された支持部３１ｃの外周面に支持されている。すなわち、フロート部材３３は、ピストン３０及びドライブプレート３１によって軸方向の移動が規制され、ドライブプレート３１の支持部３１ｃによって径方向に位置決めされている。
【００３７】
以上のように、直列に作用するように配置された１組の外周側トーションスプリング３２の円周方向両端がドライブプレート３１の係合部３１ｂに係合し、１組の外周側トーションスプリング３２の中間部にフロート部材３３の折り曲げ部３３ｃが挿入されている。
【００３８】
＜中間部材３４＞
図３は、図１の中間部材３４及びダイナミックダンパ装置３７を抽出して示したものである。中間部材３４は、外周側トーションスプリング３２と内周側トーションスプリング３５とを直列に作用させるために設けられた両者を連結する部材であり、内周側トーションスプリング３５を保持する機能も有している。中間部材３４は、第１プレート４１と第２プレート４２とから構成されており、ドライブプレート３１及びドリブンプレート３６に対して相対回転自在である。
【００３９】
第１及び第２プレート４１，４２はピストン３とタービンシェル１５との間に配置された環状かつ円板状の部材である。第１プレート４１と第２プレート４２とは軸方向に間隔をあけて配置されている。第１プレート４１がエンジン側に配置され、第２プレート４２がトランスミッション側に配置されている。
【００４０】
第２プレート４２は、円板状の本体部４２ｄを有し、本体部４２ｄの外周部には、図４に示すように、円周方向に所定の間隔で複数の突出部４２ａが形成されている。複数の突出部４２ａは第２プレート４２の外周部をさらに径方向外方に突出して形成されたものである。そして、この第２プレート４２の突出部４２ａと第１プレート４１の外周部とが、複数のリベット４３によって互いに相対回転不能でかつ軸方向に移動不能に連結されている。本体部４２ｄの外周部には、本体部４２ｄの外周部をいったんタービン４側に折り曲げて形成されたインロー部４５ｂを有している。このインロー部４５ｂは筒状に形成されている。
【００４１】
また、第１プレート４１及び第２プレート４２には、それぞれ軸方向に貫通する窓部４１ｂ，４２ｂが形成されている。窓部４１ｂ，４２ｂは、円周方向に延びて形成されており、内周部と外周部には、軸方向に切り起こされた切り起こし部が形成されている。
【００４２】
図３に示すように、第１プレート４１の外周端部には、外周側トーションスプリング３２にまで延びる複数の係止部４１ｃが形成されている。複数の係止部４１ｃは第１プレート４１の先端を軸方向エンジン側に折り曲げて形成されたものである。この複数の係止部４１ｃは、円周方向に所定の間隔をあけて配置されており、２つの係止部４１ｃの間に、直列に作用する１組の外周側トーションスプリング３２が配置されている。
【００４３】
以上のような中間部材３４によって、外周側トーションスプリング３２と内周側トーションスプリング３５とを直列的に作用させることが可能となる。
【００４４】
＜内周側トーションスプリング３５＞
複数の内周側トーションスプリング３５のそれぞれは、図３及び図４に示すように、大コイルスプリング３５ａと、大コイルスプリング３５ａの内部に挿入され大コイルスプリング３５ａのスプリング長と同じ長さの小コイルスプリング３５ｂと、の組合せからなる。各内周側トーションスプリング３５は、中間部材３４の両プレート４１，４２の窓部４１ｂ，４２ｂ内に配置されている。そして、各内周側トーションスプリング３５は窓部４１ｂ，４２ｂによって円周方向両端及び半径方向両側が支持されている。さらに、各内周側トーションスプリング３５は窓部４１ｂ，４２ｂの切り起こし部によって軸方向への飛び出しが規制されている。
【００４５】
＜ドリブンプレート３６＞
ドリブンプレート３６は、環状かつ円板状の部材であり、内周部がタービンシェル１５とともにリベット１８によってタービンハブ１７のフランジ１７ａに固定されている。このドリブンプレート３６は、第１プレート４１と第２プレート４２との間に、両プレート４１，４２に対して相対回転可能に配置されている。そして、ドリブンプレート３６の外周部には、第１及び第２プレート４１，４２の窓部４１ｂ，４２ｂに対応して、窓孔３６ａが形成されている。窓孔３６ａは軸方向に貫通する孔であり、この窓孔３６ａに内周側トーションスプリング３５が配置されている。
【００４６】
また、ドリブンプレート３６の外周部には、径方向外方に突出する複数のストッパ用突起部３６ｂ（図４参照）が形成されている。ストッパ用突起部３６ｂは、軸方向において、第２プレート４２の突出部４２ａ及びこの突出部４２ａに固定された第１プレート４１の一部と同じ位置に配置されている。また、ストッパ用突起部３６ｂは２つの突出部４２ａの円周方向間に配置されている。したがって、第１及び第２プレート４１，４２とドリブンプレート３６との相対回転が大きくなった場合は、ストッパ用突起部３６ｂと突出部４２ａとが当接し、両者の相対回転は規制される。
【００４７】
［ダイナミックダンパ装置３７］
ダイナミックダンパ装置３７は、図３及び図４に示すように、中間部材３４の第２プレート４２の外周延長部であるダンパプレート部４５と、１対のイナーシャリング４６と、１対の蓋部材４７と、スプリングユニット（第２弾性部材）４８と、ストップピン４９と、を有している。なお、図４はダイナミックダンパ装置３４をタービン４側から視た部分図である。
【００４８】
＜ダンパプレート部４５＞
ダンパプレート部４５は、前述のように、中間部材３４を構成する第２プレート４２の外周部をさらに径方向外方に延長して形成された部分である。図４に示すように、ダンパプレート部４５は、突出部４２ａの円周方向間に配置されている。すなわち、ダンパプレート部４５と、リベット４３が設けられた突出部４２ａと、は円周方向において異なる位置に設けられている。このため、第２プレート４２の径方向寸法を抑えることができる。
【００４９】
また、ダンパプレート部４５は突出部４２ａよりさらに外方に延びている。このダンパプレート部４５にはスプリング収納部４５ａが形成されている。スプリング収納部４５ａは、円周方向に延びて形成されており、軸方向に貫通している。
【００５０】
＜イナーシャリング４６＞
１対のイナーシャリング４６は、板金部材をプレス加工して形成されたものであり、ダンパプレート部４５の軸方向両側に配置されている。２つのイナーシャリング４６は同様の構成である。イナーシャリング４６は、図５に示すように、円周方向に所定の間隔で複数のスプリング収納部４６ａ（第２開口）を有している。このスプリング収納部４６ａはダンパプレート部４５のスプリング収納部４５ａに対応する位置に形成されている。また、イナーシャリング４６は複数の貫通孔４６ｂを有している。複数の貫通孔４６ｂは、ストップピン４９が装着される孔であり、複数のダンパプレート部４５の円周方向間に形成されている。さらに、イナーシャリング４６の内周縁には、組み付け時に第２プレート４２の各突出部４２ａとの干渉を避けるために、外周側に凹む切欠き４６ｃが形成されている。
【００５１】
１対の蓋部材４７は１対のイナーシャリング４６の軸方向外側に配置されている。具体的には、一方の蓋部材４７はフロントカバー２側に配置されたイナーシャリング４６のさらにフロントカバー２側に配置され、他方の蓋部材４７はタービン４側に配置されたイナーシャリング４６のさらにタービン４側に配置されている。
【００５２】
＜蓋部材４７＞
蓋部材４７は、図４に示すように、環状に形成され、外径はイナーシャリング４６の外径と同寸法であり、内径は第２プレート４２の突出部４２ａの外径よりも大きい寸法である。そして、蓋部材４７には、イナーシャリング４６の貫通孔４６ｂに対応する位置に貫通孔４７ｂが形成されている。
【００５３】
＜スプリングユニット４８＞
スプリングユニット４８は、図４に示すように、複数のスプリング収納部４５ａのそれぞれに収納された大小のコイルスプリング４８ａ，４８ｂから構成されている。大コイルスプリング４８ａはスプリング収納部４５ａの円周方向長さとほぼ同じ長さを有している。したがって、大コイルスプリング４８ａの両端部はダンパプレート部４５及びイナーシャリング４６のスプリング収納部４５ａ，４６ａの円周方向端部に当接している。また、小コイルスプリング４８ｂは、大コイルスプリング４８ａの内周部に配置され、大コイルスプリング４８ａの長さにより短く設定されている。このため、小コイルスプリング４８ｂは大コイルスプリング４８ａの作動より遅れて作動する。
【００５４】
＜ストップピン４９＞
ストップピン４９はイナーシャリング４６及び蓋部材４７の貫通孔４６ｂ，４７ｂに装着されている。すなわち、ストップピン４９は複数のダンパプレート部４５の円周方向間に配置されている。ストップピン４９は、図６に示すように、軸方向の中央部に大径胴部４９ａを有し、その両側に小径胴部４９ｂを有している。大径胴部４９ａは、イナーシャリング４６の貫通孔４６ｂより大径である。また、大径胴部４９ａの厚みは、ダンパプレート部４５の厚みより若干厚く形成されている。
【００５５】
小径胴部４９ｂはイナーシャリング４６の貫通孔４６ｂ及び蓋部材４７の貫通孔４７ｂを挿通している。そして、小径胴部４９ｂの頭部をかしめることによって、ダンパプレート部４５の軸方向両側にイナーシャリング４６及び蓋部材４７が固定されている。
【００５６】
以上のような構成により、ダンパプレート部４５とイナーシャリング４６及び蓋部材４７とは、隣接するダンパプレート部４５の間でストップピン４９が移動し得る範囲で相対回転が可能である。そして、ストップピン４９の大径胴部４９ａがダンパプレート部４５の円周方向端面に当接することによって、両者の相対回転が規制される。
【００５７】
また、イナーシャリング４６及び蓋部材４７がストップピン４９によって固定された状態で、イナーシャリング４６の内周面がダンパプレート部４５のインロー部４５ｂの外周面に当接し、これによりイナーシャリング４６，蓋部材４７及び大小コイルスプリング４８ａ，４８ｂが径方向に位置決めされている。
【００５８】
［動作］
まず、トルクコンバータ本体の動作について簡単に説明する。フロントカバー２及びインペラ３が回転している状態では、インペラ３からタービン４へ作動油が流れ、作動油を介してインペラ３からタービン４へトルクが伝達される。タービン４に伝達されたトルクはタービンハブ１７を介してトランスミッションの入力シャフト（図示せず）に伝達される。
【００５９】
トルクコンバータ１の速度比があがり、入力シャフトが一定の回転速度になると、フロントカバー２とピストン３０との間の作動油がドレンされ、ピストン３０のタービン４側に作動油が供給される。すると、ピストン３０がフロントカバー２側に移動させられる。この結果、ピストン３０に固定された摩擦部材３８がフロントカバー２に押圧され、ロックアップクラッチがオンになる。
【００６０】
以上のようなクラッチオン状態では、トルクは、フロントカバー２→ピストン３０→ドライブプレート３１→外周側トーションスプリング３２→中間部材３４→内周側トーションスプリング３５→ドリブンプレート３６の経路で伝達され、タービンハブ１７に出力される。
【００６１】
ロックアップ装置７においては、トルクを伝達すると共にフロントカバー２から入力されるトルク変動を吸収・減衰する。具体的には、ロックアップ装置７において捩り振動が発生すると、外周側トーションスプリング３２と内周側トーションスプリング３５とがドライブプレート３１とドリブンプレート３６との間で直列に圧縮される。さらに、外周側トーションスプリング３２においても、１組の外周側トーションスプリング３２が直列に圧縮される。このため、捩り角度を広くすることができる。
【００６２】
［ダイナミックダンパ装置３７の動作］
中間部材３４に伝達されたトルクは、内周側トーションスプリング３５を介してドリブンプレート３６に伝達され、さらにタービンハブ１７を介してトランスミッション側の部材に伝達される。このとき、中間部材３４にはダイナミックダンパ装置３７が設けられているので、エンジンの回転速度変動を効果的に抑制することができる。すなわち、ダンパプレート部４５の回転とイナーシャリング４６及び蓋部材４７の回転とは、ダンパ機構４８の作用によって位相にズレが生じる。具体的には、所定のエンジン回転数においてイナーシャリング４６及び蓋部材４７はダンパプレート部４５の回転速度変動を打ち消す位相で変動する。この位相のズレによって、トランスミッションの回転速度変動を吸収することができる。
【００６３】
また、本実施形態では、ダイナミックダンパ装置３７を中間部材３４に固定し、ダイナミックダンパ装置３７とタービンハブ１７との間に振動を抑えるための内周側トーションスプリング３５を配置している。この内周側トーションスプリング３５の作用によって、図７に示すように、より効果的に回転速度変動を抑えることができる。図７において、特性Ｃ１は、従来のロックアップ装置における回転速度変動を示している。特性Ｃ２はダイナミックダンパ装置をタービンハブに装着し、ダイナミックダンパ装置の出力側にトーションスプリングがない場合の変動を示している。また、特性Ｃ３は本実施形態のように、ダイナミックダンパ装置３７を中間部材３４に装着し、ダイナミックダンパ装置３７の出力側に内周側トーションスプリング３５を設けた場合の変動を示している。
【００６４】
図７の特性Ｃ２と特性Ｃ３とを比較して明らかなように、ダイナミックダンパ装置３７の出力側に内周側トーションスプリング３５を設けた場合は、回転速度変動のピークが低くなり、かつエンジン回転数の常用域においても回転速度変動が抑えることができる。
【００６５】
ここで、スプリングユニット４８は２段の捩じり特性を有している。具体的には、ダンパプレート部４５とイナーシャリング４６及び蓋部材４７との間に相対回転が生じると、低捩じり角度領域では、まず大コイルスプリング４８ａのみが圧縮され、低剛性の捩じり特性（１段目の捩じり特性）によってスプリングユニット４８が作動する。この場合は、イナーシャリング４６及び蓋部材４７はダンパプレート部４５に対して比較的小さい抵抗で相対回転し、効果的に回転速度変動を抑えることができる。
【００６６】
そして、より大きい回転変動が生じてダンパプレート部４５とイナーシャリング４６及び蓋部材４７との間に、さらに大きな相対回転が生じると、大コイルスプリング４８ａに加えて小コイルスプリング４８ｂも圧縮されることになる。このため、低剛性の捩じり特性に比較して高い剛性の捩じり特性（２段目の捩じり特性）でスプリングユニット４８が作動する。
【００６７】
このように大きい回転変動が生じた場合は、１段目の捩じり特性を経て２段目の捩じり特性でスプリングユニット４８が作動する。この場合は、１段目の捩じり特性で作動している場合に比較して、ダンパプレート部４５に対してイナーシャリング４６及び蓋部材４７が回転しにくくなり、両者の相対回転速度が低下する。このため、ダンパプレート部４５の円周方向端面がストップピン４９に衝突しても、従来の１段の捩じり特性のみを有するダイナミックダンパ装置に比較して衝撃が抑えられる。
【００６８】
［特徴］
（１）中間部材３４を構成する第２プレート４２の一部によって、ダイナミックダンパ装置３７のダンパプレート部４５が構成されている。このため、装置全体の部品点数を抑えることができる。特に、外周側トーションスプリング３２及び内周側トーションスプリング３５とともにダイナミックダンパ装置３７を設けた場合でも、装置全体が大型化するのを避けることができる。
【００６９】
（２）第２プレート４２にインロー部４５ｂを設け、このインロー部４５ｂによってダイナミックダンパ装置３７の径方向の位置決めを行っている。このため、簡単な構成でダイナミックダンパ装置３７の径方向の位置決めを行うことができる。
【００７０】
（３）第２プレート４２において、第１プレート４１との固定部分（リベット４３が設けられた部分）と、ダンパプレート部４５と、を円周方向において異なる位置に設けている。このため、第２プレート４２が径方向に大きくなるのを抑えることができる。
【００７１】
（４）１対のイナーシャリング４６をダンパプレート部４５の両側に配置してダイナミックダンパ装置３７を構成しているので、１対のイナーシャリング４６をプレート部材で形成することができる。したがって、イナーシャリングを鋳造品や鍛造品で形成する場合に比較して製造コストを抑えることができる。
【００７２】
（５）ダンパプレート部４５及びイナーシャリング４６の内部にダンパ機構４８を収容しているので、特に、軸方向におけるダイナミックダンパ装置の占有スペースをコンパクトにすることができる。
【００７３】
（６）イナーシャリング４６を軸方向に分割しているので、ダンパプレート部４５の差し込み、及びダンパ機構４８の組付が容易になる。
【００７４】
（７）中間部材３４にダイナミックダンパ装置３７を装着し、ダイナミックダンパ装置３７の出力側に内周側トーションスプリング３５を設けているので、より効果的に回転速度変動を抑えることができる。
【００７５】
［他の実施形態］
本発明は以上のような実施形態に限定されるものではなく、本発明の範囲を逸脱することなく種々の変形又は修正が可能である。
【００７６】
（ａ）前記実施形態では、内周側のトーションスプリングに加えて外周側のトーションスプリングを有するロックアップ装置に本発明を適用したが、いずれか一方側にのみトーションスプリングが設けられている装置にも本発明を同様に適用することができる。
【００７７】
（ｂ）ダイナミックダンパ装置のダンパ機構を２段特性としたが、１段特性の場合にも本発明を適用することができる。
【００７８】
（ｃ）ダイナミックダンパ装置を径方向に位置決めするための別の実施形態を図８に示している。
【００７９】
図８に示す実施形態では、ダイナミックダンパ装置３７における第２プレート５２の構成のみが前記実施形態と異なっている。すなわち、第２プレート５２は前記実施形態と同様に、円板状の本体部５２ｄと、本体部５２ｄの外周側に形成されたダンパプレート部５５と、を有している。そして、ダンパプレート部５５の内周側、すなわち本体部５２ｄの外周部に、径方向外方に延びて形成された複数のインロー部５５ｂを有している。本体部５２ｄとインロー部５５ｂとは、軸方向において同じ位置に形成されている。
【００８０】
そして、フロントカバー側のイナーシャリング４６の内周端面がインロー部５５ｂの外周端面に当接し、これによりダイナミックダンパ装置３７は径方向に位置決めされている。
【００８１】
（ｄ）インロー部のさらに別の実施形態を図９に示している。ここでは、ダイナミックダンパ装置３７における第２プレート６２の構成のみが前記実施形態と異なっている。すなわち、第２プレート６２は前記実施形態と同様に、円板状の本体部６２ｄと、本体部６２ｄの外周側に形成されたダンパプレート部６５と、を有している。そして、ダンパプレート部６５の内周側に、軸方向フロントカバー側に切り起こされた複数のインロー部６５ｂを有している。
【００８２】
そして、フロントカバー側のイナーシャリング４６の内周端面がインロー部６５ｂの外周端面に当接し、これによりダイナミックダンパ装置３７は径方向に位置決めされている。
【００８３】
（ｅ）図１０にさらに別の実施形態を示す。この実施形態では、中間部材を構成する第２プレート７２は、円板状の本体部７２ｄと、本体部７２ｄの外周側に形成されたダンパプレート部７５と、を有している。そして、本体部７２ｄの外周端面７５ｂが、フロントカバー側のイナーシャリング４６の内周端面に当接するインロー部となっており、これによりダイナミックダンパ装置３７は径方向に位置決めされている。
（ｆ）前記実施形態では、ダイナミックダンパ装置をピストン及びドリブンプレートに対して相対回転自在に設けたが、ダイナミックダンパ装置をドリブンプレートに固定し、入力側の部材（ピストン）に対してのみ相対回転自在としてもよい。
【符号の説明】
【００８４】
１  トルクコンバータ
２  フロントカバー
４  タービン
６  トルクコンバータ本体
７  ロックアップ装置
３０  ピストン
３１  ドライブプレート
３２  外周側トーションスプリング
３４  中間部材
３５  内周側トーションスプリング
３６  ドリブンプレート
３７  ダイナミックダンパ装置
４２ｄ，５２ｄ，６５ｄ，７５ｄ  本体部
４５，５５，６５，７５  ダンパプレート部
４５ｂ，５５ｂ，６５ｂ，７５ｂ  インロー部
４６  イナーシャリング
４８  スプリングユニット
【図１】
2015094424.tif 000003
【図２】
2015094424.tif 000004
【図３】
2015094424.tif 000005
【図４】
2015094424.tif 000006
【図５】
2015094424.tif 000007
【図６】
2015094424.tif 000008
【図７】
2015094424.tif 000009
【図８】
2015094424.tif 000010
【図９】
2015094424.tif 000011
【図１０】
2015094424.tif 000012